(57)【特許請求の範囲】
【請求項１】
光ネットワークユニット（ＯＮＵ）であって、
光インタフェースと、
該光インタフェースに連結される光送受信機であって、該光送受信機は、該光インタフェースを通して、光回線端末（ＯＬＴ）へ光信号を伝送し、該ＯＬＴから光信号を受信するように構成される、光送受信機と、
該光送受信機に連結され、該光送受信機を通して、該ＯＬＴと通信するように構成される、ＯＮＵチップと、
該ＯＮＵチップに連結されるイーサネット（登録商標）インタフェースと、
該イーサネット（登録商標）インタフェースを通して加入者宅内機器（ＣＰＥ）から送達される電力を使用して、該ＯＮＵチップおよび該光送受信機に電力を提供するように構成される、電力管理モジュールであって、それによって、別個の電源を必要とせずに、該イーサネット（登録商標）インタフェースを通して該ＣＰＥによって該ＯＮＵが電力供給されることを可能にし、ＣＰＵ用の受動光ネットワーク（ＰＯＮ）アップリンクを提供する、電力管理モジュールと、
該光送受信機、該ＯＮＵチップ、および該電力管理モジュールが取り付けられる、回路基板と、
壁に載置可能な固定具であって、該固定具は、壁の中に配置され、該固定具の正面は、該イーサネット（登録商標）インタフェース用の開口部を含み、該固定具の背面は、該回路基板を保持し、該固定具の背面は、該壁の中に隠され、該固定部の正面は、該壁の表面にある、壁に載置可能な固定具と
を備え、
該光インタフェースは、該壁の中に隠され、該光インタフェースに連結される光ファイバは、該壁の内側を走り、それによって、該光インタフェースおよび該光ファイバを環境および機械的損傷から保護する、ＯＮＵ。
【請求項２】
前記壁は、加入者宅内の外壁であり、前記固定具の前記背面は、該外壁の外面からアクセスすることができ、それによって、該宅内に入る必要なく、前記ＯＮＵにサービスを提供することを可能にする、請求項１に記載のＯＮＵ。
【請求項３】
前記イーサネット（登録商標）インタフェースは、ＲＪ４５ソケットを備え、前記ＯＮＵは、ＲＪ４５ケーブルを使用して、該イーサネット（登録商標）インタフェースを通して前記ＣＰＥに連結されることができる、請求項１に記載のＯＮＵ。
【請求項４】
前記ＯＮＵチップは、前記ＯＮＵと前記ＯＬＴとの間の帯域内管理チャネルを通して、ネットワーク管理を実施するように構成される、請求項１に記載のＯＮＵ。
【請求項５】
前記光送受信機は、プラグ着脱可能な送受信機であり、多重モードまたは単一モードの光ファイバへ光信号を伝送し、および該光ファイバから光信号を受信するように構成される、請求項１に記載のＯＮＵ。
【請求項６】
前記ＯＮＵチップは、従来のチップパッケージングなしで、前記回路基板に直接取り付けられるダイを備える、請求項１に記載のＯＮＵ。
【請求項７】
前記ＯＮＵチップに連結され、前記ＯＮＵの状態を示すように構成される、１つ以上のＬＥＤをさらに備える、請求項１に記載のＯＮＵ。
【請求項８】
光回線端末（ＯＬＴ）と、
光ネットワークユニット（ＯＮＵ）であって、
光インタフェースと、
該光インタフェースに連結される光送受信機であって、該光送受信機は、該光インタフェースを通して、該ＯＬＴへ光信号を伝送し、該ＯＬＴから光信号を受信するように構成される、光送受信機と、
該光送受信機に連結され、該光送受信機を通して、該ＯＬＴと通信するように構成される、ＯＮＵチップと、
該ＯＮＵチップに連結されるイーサネット（登録商標）インタフェースと、
該イーサネット（登録商標）インタフェースを通して加入者宅内機器（ＣＰＥ）から送達される電力を使用して、該ＯＮＵチップおよび該光送受信機に電力を提供するように構成される、電力管理モジュールであって、それによって、別個の電源を必要とせずに、該イーサネット（登録商標）インタフェースを通して該ＣＰＥによって該ＯＮＵが電力供給されることを可能にし、ＣＰＵ用の受動光ネットワーク（ＰＯＮ）アップリンクを提供する、電力管理モジュールと、
該光送受信機、該ＯＮＵチップ、および該電力管理モジュールが取り付けられる、回路基板と、
壁に載置可能な固定具であって、該固定具は、壁の中に配置され、該固定具の正面は、該イーサネット（登録商標）インタフェース用の開口部を含み、該固定具の背面は、該回路基板を保持し、該固定具の背面は、該壁の中に隠され、該固定部の正面は、該壁の表面にある、壁に載置可能な固定具と
を備える、ＯＮＵと
を備え、
該光インタフェースは、該壁の中に隠され、該光インタフェースに連結される光ファイバは、該壁の内側を走り、それによって、該光インタフェースおよび該光ファイバを環境および機械的損傷から保護する、受動光ネットワーク（ＰＯＮ）システム。
【請求項９】
前記壁は、加入者宅内の外壁であり、前記固定具の前記背面は、該外壁の外面からアクセスすることができ、それによって、該宅内に入る必要なく、前記ＯＮＵにサービスを提供することを可能にする、請求項８に記載のシステム。
【請求項１０】
前記イーサネット（登録商標）インタフェースは、ＲＪ４５ソケットを備え、前記ＯＮＵは、ＲＪ４５ケーブルを使用して、該イーサネット（登録商標）インタフェースを通して、前記ＣＰＥに連結されることができる、請求項８に記載のシステム。
【請求項１１】
前記ＯＮＵチップは、前記ＯＮＵと前記ＯＬＴとの間の帯域内管理チャネルを通して、ネットワーク管理を実施するように構成される、請求項８に記載のシステム。
【請求項１２】
前記光送受信機は、プラグ着脱可能な送受信機であり、多重モードまたは単一モードの光ファイバへ光信号を伝送し、および該光ファイバから光信号を受信するように構成される、請求項８に記載のシステム。
【請求項１３】
前記ＯＮＵチップは、従来のチップパッケージングなしで、前記回路基板に直接取り付けられるダイを備える、請求項８に記載のシステム。
【請求項１４】
前記ＯＮＵは、前記ＯＮＵチップに連結され、該ＯＮＵの状態を示すように構成される、１つ以上のＬＥＤをさらに備える、請求項８に記載のシステム。
【発明の詳細な説明】
【技術分野】
【０００１】
本発明は、光ネットワークユニット（ＯＮＵ：Ｏｐｔｉｃａｌ  Ｎｅｔｗｏｒｋ  Ｕｎｉｔ）の設計に関する。より具体的には、本発明は、家庭内ネットワークゲートウェイ、または企業ルータ等の加入者宅内機器（ＣＰＥ：Ｃｕｓｔｏｍｅｒ  Ｐｒｅｍｉｓｅｓ  Ｅｑｕｉｐｍｅｎｔ）によって供給され得る、パワーオーバイーサネット（登録商標）（ＰｏＥ：Ｐｏｗｅｒ  ｏｖｅｒ  Ｅｔｈｅｒｎｅｔ（登録商標））を介して電力を供給される、壁埋め込み式ＯＮＵの設計に関する。
【背景技術】
【０００２】
増加するインターネットトラフィックに対応するために、ネットワーク事業者は、実質的にバックボーンネットワークの容量を増加させて、光ファイバおよび光伝送機器を幅広く展開している。しかしながら、対応するアクセスネットワーク容量の増加は、バックボーンネットワーク容量のこの増加とは一致していない。デジタル加入者回線（ＤＳＬ：Ｄｉｇｉｔａｌ  Ｓｕｂｓｃｒｉｂｅｒ  Ｌｉｎｅ）、ケーブルモデム（ＣＭ：Ｃａｂｌｅ  Ｍｏｄｅｍ）等のブロードバンド解決法によってさえ、現行のアクセスネットワークによって提供される限定的な帯域幅は、依然としてエンドユーザへ広い帯域幅を送達する上で深刻な障害を示している。
【０００３】
異なる競合技術の中、受動光ネットワーク（ＰＯＮ：Ｐａｓｓｉｖｅ  Ｏｐｔｉｃａｌ  Ｎｅｔｗｏｒｋ）は、次世代アクセスネットワークの最も有力な候補のうちの１つである。光ファイバの広い帯域幅によって、ＰＯＮはブロードバンドの音声、データ、および映像トラフィックを同時に収容することができる。そのような統合的なサービスは、ＤＳＬまたはＣＭ技術を用いて提供するのは困難である。さらにＰＯＮは、イーサネット（登録商標）、ＡＴＭ等、既存プロトコルで構築することができ、それによって、ＰＯＮとその他ネットワーク機器との間の相互運用が容易になる。
【０００４】
通常、ＰＯＮは、サービスプロバイダのセントラルオフィスと加入者宅内との間を接続する、ネットワークの「ファーストワンマイル」において使用される。「ファーストワンマイル」は概して、セントラルオフィスがいくつかの加入者にサービスを提供する、論理的なポイントツーマルチポイントネットワークである。例えば、ＰＯＮは、ツリートポロジを採用することができ、１つの幹線ファイバによって、セントラルオフィスを受動光スプリッタ／結合器に連結する。いくつかの支線ファイバを介して、受動光スプリッタ／結合器により、下りの光信号を分割して加入者へ分配し、加入者からの上りの光信号を結合する（図１参照）。リングトポロジやメッシュトポロジ等、その他トポロジでも可能であることに留意されたい。
【０００５】
ＰＯＮ内での伝送は、通常、光回線端末（ＯＬＴ：Ｏｐｔｉｃａｌ  Ｌｉｎｅ  Ｔｅｒｍｉｎａｌ）と光ネットワークユニット（ＯＮＵ）との間で実施される。ＯＬＴは概してセントラルオフィスに備わり、例えば、インターネットサービスプロバイダ（ＩＳＰ：Ｉｎｔｅｒｎｅｔ  Ｓｅｒｖｉｃｅ  Ｐｒｏｖｉｄｅｒ）または地域通信会社に属する、外部ネットワークであり得る光アクセスネットワークを、メトロバックボーンへ連結させる。ＯＮＵは加入者の住宅に備えることができ、加入者宅内機器（ＣＰＥ）を介して加入者の自宅ネットワークに連結する。ＣＰＥの例には、家庭内ネットワークゲートウェイ、ギガビットイーサネット（登録商標）（ＧｂＥ：Ｇｉｇａｂｉｔ  Ｅｔｈｅｒｎｅｔ（登録商標））スイッチ、または企業ルータを含む。
【発明の概要】
【発明が解決しようとする課題】
【０００６】
イーサネット（登録商標）ＰＯＮ（ＥＰＯＮ：Ｅｔｈｅｒｎｅｔ（登録商標）  Ｐａｓｓｉｖｉｅ  Ｏｐｔｉｃａｌ  Ｎｅｔｗｏｒｋ）の例では、通信は下りトラフィックおよび上りトラフィックを含む。以下の説明では、「下り」はＯＬＴから１つ以上のＯＮＵへの方向を指し、「上り」はＯＮＵからＯＬＴへの方向を指す。下り方向では、１ｘＮ受動光カプラのブロードキャストの性質のために、データパケットは、ＯＬＴによってＯＮＵ全てにブロードキャストされ、その宛先ＯＮＵによって選択的に抽出される。さらに各ＯＮＵには、１つ以上の論理リンク識別子（ＬＬＩＤ：Ｌｏｇｉｃａｌ  Ｌｉｎｋ  Ｉｄｅｎｔｉｆｉｅｒ）が付与され、ＯＬＴによって伝送されるデータパケットは、通常、宛先ＯＮＵのＬＬＩＤを特定する。上り方向では、受動光カプラをＯＬＴに連結するリンクが１つしかないので、ＯＮＵはチャネル容量およびリソースを共有する必要がある。
【０００７】
従来のＯＮＵは、機能するために独自の電源を必要とする。そのような要件は、ＯＮＵの位置を電源コンセントに近い場所へ制限するため、加入者宅内にＯＮＵを設置する通信事業者にとっては不便である。電源コンセントが加入者の自宅または事務所内で少なかったり、または例えばＥＰＯＮといったアクセスネットワークの光ファイバが、加入者宅内に進入する地点から、電源コンセントが離れていたりする場合がある。ＥＰＯＮをＯＮＵに接続するシングルストランド光ファイバは、ファイバジャケットにより保護されているものの、依然として、ファイバインタフェースの汚れや、ファイバの引きまたは深刻な屈曲等、環境および機械的損傷を起こす傾向がある。
【課題を解決するための手段】
【０００８】
本発明の一実施形態は、光ネットワークユニット（ＯＮＵ）を提供する。ＯＮＵは、光インタフェースと、光インタフェースに連結される光送受信機とを含む。光送受信機は、相互接続する光ファイバおよびスプリッタを経由して、光インタフェースを通して、光回線端末（ＯＬＴ）へ光信号を伝送し、ＯＬＴから光信号を受信するように構成される。ＯＮＵはまた、光送受信機に連結され、光送受信機を通して、ＯＬＴと通信するように構成される、ＯＮＵチップを含む。ＯＮＵはさらに、ＯＮＵチップに連結されるイーサネット（登録商標）インタフェースと、イーサネット（登録商標）インタフェースを通して加入者宅内機器（ＣＰＥ）から送達される電力を使用して、ＯＮＵチップおよび光送受信機に電力を提供するように構成される、電力管理モジュールであって、それによって、別個の電源を必要とせずに、イーサネット（登録商標）インタフェースを通してＣＰＥによってＯＮＵが電力供給されることを可能にし、ＣＰＥ用の受動光ネットワーク（ＰＯＮ）アップリンクを提供する、電力管理モジュールとを含む。加えて、ＯＮＵは、光送受信機、ＯＮＵチップ、および電力管理モジュールが取り付けられる、回路基板と、壁に載置可能な固定具であって、固定具の正面は、イーサネット（登録商標）インタフェース用の開口部を含み、固定具の背面は、回路基板を保持する、壁に載置可能な固定具とを含む。
【０００９】
本実施形態に関する変形例において、固定具は、壁に設置することが可能であり、光インタフェースは壁の中に隠され、光インタフェースに連結される光ファイバは、壁の内側を走り、それによって、光インタフェースおよび光ファイバを、環境および機械的損傷から保護する。
【００１０】
本実施形態に関するさらなる変形例において、壁は、加入者宅内の外壁であり、固定具の背面は、外壁の外面からアクセスすることができ、それによって、宅内に入る必要なく、ＯＮＵにサービスを提供することを可能にする。
【００１１】
本実施形態に関する変形例において、固定具は、壁の表面に設置することができ、光インタフェースは、しっかりと固着された導管の内側を走る光ファイバに連結され、それによって、光ファイバを環境および機械的損傷から保護する。
【００１２】
本実施形態に関する変形例において、イーサネット（登録商標）インタフェースは、ＲＪ４５ソケットを含み、ＯＮＵは、ＲＪ４５ケーブルを使用して、イーサネット（登録商標）インタフェースを通してＣＰＥに連結することができる。
【００１３】
本実施形態に関する変形例において、ＯＮＵチップは、ＯＮＵとＯＬＴとの間の帯域内管理チャネルを通して、ネットワーク管理を実施するように構成される。
【００１４】
本実施形態に関する変形例において、光送受信機は、プラグ着脱可能な送受信機であり、多重モードまたは単一モードの光ファイバへ光信号を伝送し、光ファイバから光信号を受信するように構成される。
【００１５】
本実施形態に関する変形例において、ＯＮＵチップは、従来のチップパッケージングなしで、回路基板に直接取り付けられるダイを備える。
【００１６】
本実施形態に関する変形例において、ＯＮＵは、ＯＮＵチップに連結され、ＯＮＵの状態を示すように構成される、１つ以上のＬＥＤをさらに含む。
本願明細書は、例えば、以下の項目も提供する。
（項目１）
光ネットワークユニット（ＯＮＵ）であって、
光インタフェースと、
該光インタフェースに連結される光送受信機であって、該光送受信機は、該光インタフェースを通して、光回線端末（ＯＬＴ）へ光信号を伝送し、該ＯＬＴから光信号を受信するように構成される、光送受信機と、
該光送受信機に連結され、該光送受信機を通して、該ＯＬＴと通信するように構成される、ＯＮＵチップと、
該ＯＮＵチップに連結されるイーサネット（登録商標）インタフェースと、
該イーサネット（登録商標）インタフェースを通して加入者宅内機器（ＣＰＥ）から送達される電力を使用して、該ＯＮＵチップおよび該光送受信機に電力を提供するように構成される、電力管理モジュールであって、それによって、別個の電源を必要とせずに、該イーサネット（登録商標）インタフェースを通して該ＣＰＥによって該ＯＮＵが電力供給されることを可能にし、ＣＰＵ用の受動光ネットワーク（ＰＯＮ）アップリンクを提供する、電力管理モジュールと、
該光送受信機、該ＯＮＵチップ、および該電力管理モジュールが取り付けられる、回路基板と、
壁に載置可能な固定具であって、該固定具の正面は、該イーサネット（登録商標）インタフェース用の開口部を含み、該固定具の背面は、該回路基板を保持する、壁に載置可能な固定具と
を備える、ＯＮＵ。
（項目２）
前記固定具は、壁に設置することが可能であり、前記光インタフェースは、該壁の中に隠され、該光インタフェースに連結される光ファイバは、該壁の内側を走り、それによって、該光インタフェースおよび該光ファイバを環境および機械的損傷から保護する、項目１に記載のＯＮＵ。
（項目３）
前記壁は、加入者宅内の外壁であり、前記固定具の前記背面は、該外壁の外面からアクセスすることができ、それによって、該宅内に入る必要なく、前記ＯＮＵにサービスを提供することを可能にする、項目２に記載のＯＮＵ。
（項目４）
前記固定具は、壁の表面に設置することができ、前記光インタフェースは、しっかりと固着された導管の内側を走る光ファイバに連結され、それによって、該光ファイバを環境および機械的損傷から保護する、項目１に記載のＯＮＵ。
（項目５）
前記イーサネット（登録商標）インタフェースは、ＲＪ４５ソケットを備え、前記ＯＮＵは、ＲＪ４５ケーブルを使用して、該イーサネット（登録商標）インタフェースを通して前記ＣＰＥに連結されることができる、項目１に記載のＯＮＵ。
（項目６）
前記ＯＮＵチップは、前記ＯＮＵと前記ＯＬＴとの間の帯域内管理チャネルを通して、ネットワーク管理を実施するように構成される、項目１に記載のＯＮＵ。
（項目７）
前記光送受信機は、プラグ着脱可能な送受信機であり、多重モードまたは単一モードの光ファイバへ光信号を伝送し、および該光ファイバから光信号を受信するように構成される、項目１に記載のＯＮＵ。
（項目８）
前記ＯＮＵチップは、従来のチップパッケージングなしで、前記回路基板に直接取り付けられるダイを備える、項目１に記載のＯＮＵ。
（項目９）
前記ＯＮＵチップに連結され、前記ＯＮＵの状態を示すように構成される、１つ以上のＬＥＤをさらに備える、項目１に記載のＯＮＵ。
（項目１０）
光回線端末（ＯＬＴ）と、
光ネットワークユニット（ＯＮＵ）であって、
光インタフェースと、
該光インタフェースに連結される光送受信機であって、該光送受信機は、該光インタフェースを通して、光回線端末（ＯＬＴ）へ光信号を伝送し、該ＯＬＴから光信号を受信するように構成される、光送受信機と、
該光送受信機に連結され、該光送受信機を通して、該ＯＬＴと通信するように構成される、ＯＮＵチップと、
該ＯＮＵチップに連結されるイーサネット（登録商標）インタフェースと、
該イーサネット（登録商標）インタフェースを通して加入者宅内機器（ＣＰＥ）から送達される電力を使用して、該ＯＮＵチップおよび該光送受信機に電力を提供するように構成される、電力管理モジュールであって、それによって、別個の電源を必要とせずに、該イーサネット（登録商標）インタフェースを通して該ＣＰＥによって該ＯＮＵが電力供給されることを可能にし、ＣＰＵ用の受動光ネットワーク（ＰＯＮ）アップリンクを提供する、電力管理モジュールと、
該光送受信機、該ＯＮＵチップ、および該電力管理モジュールが取り付けられる、回路基板と、
壁に載置可能な固定具であって、該固定具の正面は、該イーサネット（登録商標）インタフェース用の開口部を含み、該固定具の背面は、該回路基板を保持する、壁に載置可能な固定具と
を備える、ＯＮＵと
を備える、受動光ネットワーク（ＰＯＮ）システム。
（項目１１）
前記固定具は、壁に設置することが可能であり、前記光インタフェースは、該壁の中に隠され、該光インタフェースに連結される光ファイバは、該壁の内側を走り、それによって、該光インタフェースおよび該光ファイバを環境および機械的損傷から保護する、項目１０に記載のシステム。
（項目１２）
前記壁は、加入者宅内の外壁であり、前記固定具の前記背面は、該外壁の外面からアクセスすることができ、それによって、該宅内に入る必要なく、前記ＯＮＵにサービスを提供することを可能にする、項目１１に記載のシステム。
（項目１３）
前記固定具は、壁の前記表面に設置することができ、前記光インタフェースは、しっかりと固着された導管の内側を走る光ファイバに連結され、それによって、該光ファイバを環境および機械的損傷から保護する、項目１０に記載のシステム。
（項目１４）
前記イーサネット（登録商標）インタフェースは、ＲＪ４５ソケットを備え、前記ＯＮＵは、ＲＪ４５ケーブルを使用して、該イーサネット（登録商標）インタフェースを通して、前記ＣＰＥに連結されることができる、項目１０に記載のシステム。
（項目１５）
前記ＯＮＵチップは、前記ＯＮＵと前記ＯＬＴとの間の帯域内管理チャネルを通して、ネットワーク管理を実施するように構成される、項目１０に記載のシステム。
（項目１６）
前記光送受信機は、プラグ着脱可能な送受信機であり、多重モードまたは単一モードの光ファイバへ光信号を伝送し、および該光ファイバから光信号を受信するように構成される、項目１０に記載のシステム。
（項目１７）
前記ＯＮＵチップは、従来のチップパッケージングなしで、前記回路基板に直接取り付けられるダイを備える、項目１０に記載のシステム。
（項目１８）
前記ＯＮＵは、前記ＯＮＵチップに連結され、該ＯＮＵの状態を示すように構成される、１つ以上のＬＥＤをさらに備える、項目１０に記載のシステム。
【図面の簡単な説明】
【００１７】
【図１】図１は、セントラルオフィスおよびいくつかの加入者が、光ファイバと受動光スプリッタとを通して連結されるＰＯＮを示す（従来技術）。
【図２】図２は、ＯＮＵが、別個の電源によって電力供給される、従来のＥＰＯＮ構成を示す（従来技術）。
【図３】図３は、本発明の実施形態に従い、ＯＮＵが、家庭内ネットワークゲートウェイによって電力供給される、ＥＰＯＮ構成を示す。
【図４Ａ】図４Ａは、本発明の実施形態に従う、例示的ＯＮＵの正面図を示す。
【図４Ｂ】図４Ｂは、本発明の実施形態に従う、例示的ＯＮＵの側面図を示す。
【図４Ｃ】図４Ｃは、本発明の実施形態に従う、例示的ＯＮＵの背面図を示す。
【図５】図５は、本発明の実施形態に従う、ＯＮＵの例示的配置を示す。
【図６】図６は、本発明の実施形態に従う、ＯＮＵの例示的配置を示す。
【発明を実施するための形態】
【００１８】
次の説明は、当業者が本発明を製作し使用することを可能にするために示され、特定の用途およびその要件の内容に関して提供される。開示される実施形態に対する様々な修正が、当業者には容易に明らかとなるであろうし、本願で定義される一般的原理は、本発明の精神および範囲を逸脱することなく、その他の実施形態および用途に対して適用され得る（例：一般的な受動光ネットワーク（ＰＯＮ）アーキテクチャ）。したがって、本発明は、示される実施形態に限定することを意図していないが、本願で開示される原理および特徴に一致する最大限の範囲が認められるべきである。
【００１９】
（受動光ネットワークトポロジ）
図１は、光ファイバおよび受動光スプリッタを通して連結されるセントラルオフィスと、いくつかの加入者とを含む受動光ネットワークを示している（従来技術）。受動光スプリッタ１０２および光ファイバは、加入者をセントラルオフィス１０１に連結する。受動光スプリッタ１０２は、初期ファイバ敷設費用を最小限に抑えるために、エンドユーザが位置する近辺に備え得る。セントラルオフィス１０１は、インターネットサービスプロバイダ（ＩＳＰ）によって運営されるメトロポリタンエリアネットワーク等、外部ネットワーク１０３に連結することができる。図１はツリートポロジを示しているが、ＰＯＮはまた、論理リングや論理バス等、その他トポロジに基づくことも可能である。本開示では、多くの例がＥＰＯＮに基づいているが、本発明の実施形態はＥＰＯＮに限定されず、ＡＴＭ  ＰＯＮ（ＡＰＯＮ）等、様々なＰＯＮに適用することができることに留意されたい。
【００２０】
（従来のＯＮＵを有するＥＰＯＮ構成）
図２は、従来のＯＮＵを配置するＥＰＯＮ構成を示している（従来技術）。図２において、ＯＬＴ２００は、下りデータをＯＮＵ２１０および２１２にブロードキャストする。両ＯＮＵが下りデータの同一複製を受信する間、各ＯＮＵは、本例では加入者２２０および２２２である、対応する加入者行きのデータのみを選択して転送する。本例において、各加入者は、対応するＯＮＵと通信するイーサネット（登録商標）スイッチであり得る、家庭内ネットワークゲートウェイを装備していることに留意されたい。概して、ローカル側において、ＯＮＵは、家庭内ネットワークゲートウェイ、ギガビットイーサネット（登録商標）（ＧｂＥ）スイッチ、またはその他通信機器を含むことができる、１台の加入者宅内機器（ＣＰＥ）と通信する。
【００２１】
下り光信号は、光スプリッタ２０２によって分割される。光スプリッタ２０２はまた、異なるＯＮＵからの上り信号に対する結合器として機能する。各ＯＮＵは下り光信号を受信し、各パケットのＬＬＩＤに基づき、対応する加入者行きのデータを取り出す。
【００２２】
ＯＮＵは、通信リンクを通して対応する加入者に連結する。例えば、ＯＮＵ２１０は、通信リンク２３０を通して、加入者２２０の家庭内ネットワークゲートウェイに連結される。通信リンク２３０は、光ファイバ等の光リンク、あるいは銅ケーブルまたは撚線等の電気的リンクであり得る。加えて、ＯＮＵ２１０は、加入者２２０に信号を伝送し、加入者２２０から信号を受信する送受信機インタフェース２３２を含む。同様に、加入者２２０の家庭内ネットワークゲートウェイは、ＯＮＵ２１０と通信する送受信機インタフェース２３４を含む。
【００２３】
加入者２２０の家庭内ネットワークゲートウェイは、ＯＮＵ２１０から信号を受信し、リンク２４０および２４２等、異なるリンクを介して、加入者２２０の宅内ネットワークの異なる構成要素へ信号を送達する。宅内ネットワーク構成要素の例には、デスクトップコンピュータ、ノート型パソコン、およびＩＰ電話を含む。
【００２４】
加入者２２０および２２２の家庭内ネットワークゲートウェイは、電源２６０および２６２をそれぞれ装備する。加えて、ＯＮＵ２１０および２１２もまた、独自の電源２５０および２５２をそれぞれ装備する。これらの電源により、ＯＮＵに電力が供給され稼動が可能となる。
【００２５】
ＯＮＵが通信事業者のアクセスネットワークに接続し、概して通信事業者によって提供され設置されることに留意されたい。ＯＮＵに別個の電源を提供することで、ＯＮＵの配置は通信事業者にとって難しい問題となる。長い電源コードを使用するのを避けるために、ＯＮＵを電源コンセントからより近い場所に配置することが好ましい。特にＯＮＵを加入者宅内の外側に配置する場合、この条件を満足するのは困難であるかもしれない。ＯＮＵの配置に関して通信事業者が有する別の懸念は、光ファイバの保護に関してである。通常光ファイバは、ファイバジャケットによって保護されるものの、依然として、強烈な引きや深刻な屈曲等の機械的損傷を受ける傾向がある。加えて、ファイバコネクタは、極端な温度や埃等の環境要因によって引き起こされる損傷を受ける傾向がある。
【００２６】
（ゲートウェイを電力源とするＯＮＵ）
これらの問題を克服するために、本発明の実施形態は、家庭内ネットワークゲートウェイ、またはその他タイプのＣＰＥによって電力供給を受けることができるＯＮＵを提供し、それによって、別個の電源に対する必要性を排除する。例として、図３は、本発明の一実施形態に従い、家庭内ネットワークゲートウェイを電力源とするＯＮＵを配備するＥＰＯＮ構成を示している。
【００２７】
図３の上部に示す状況では、電源３４０によって電力を供給される加入者３２０の家庭内ネットワークゲートウェイは、その送受信機インタフェース３３４を通して電力を提供する能力を有する。一実施形態において、送受信機インタフェース３３４は、電力を伝送することができるイーサネット（登録商標）インタフェースか、またはパワーオーバイーサネット（登録商標）（ＰｏＥ）対応である。電力は、通信リンク３３０および送受信機インタフェース３３２を通して、ＯＮＵ３１０に送達される。一実施形態において、通信リンク３３０は標準的なイーサネット（登録商標）ケーブルであり、送受信機インタフェース３３２はＰｏＥ対応のイーサネット（登録商標）インタフェースである。
【００２８】
図３の下図に示す状況では、電源３４２によって電力供給を受ける加入者３２２の家庭内ネットワークゲートウェイは、その送受信機インタフェース３３６を通して、電力を提供する能力を有さない。一実施形態において、送受信機インタフェース３３６はＰｏＥ対応ではなく、通常のイーサネット（登録商標）インタフェースである。言い換えると、加入者３２２の家庭内ネットワークゲートウェイは、ＰｏＥ対応ではない。電力をＯＮＵ３１２に提供するために、一実施形態において、ＰｏＥアダプタ３３８が、家庭内ネットワークゲートウェイの送受信機インタフェース３３６、およびＯＮＵ３１２の送受信機インタフェース３３９を連結する。ＰｏＥアダプタ３３８は、送受信機インタフェース３３６から通信信号を、電源３４４から電力を受信し、それらを送受信機インタフェース３３９を通してＯＮＵ３１２へ同時に伝送する。一実施形態において、送受信機インタフェース３３９は、ＰｏＥ対応イーサネット（登録商標）インタフェースである。
【００２９】
図４Ａ〜４Ｃは、本発明の一実施形態に従い、例示的な家庭内ネットワークゲートウェイを電力源とするＯＮＵを示す。図４Ａは、家庭内ネットワークゲートウェイを電力源とするＯＮＵの正面図を示す。図４Ａでは、壁に載置可能な固定具４００の正面は、イーサネット（登録商標）インタフェース４０３を露出している開口部４０２を含む。イーサネット（登録商標）インタフェース４０３は、イーサネット（登録商標）ケーブルを使用して、家庭内ネットワークゲートウェイからイーサネット（登録商標）信号および電力を受信するように構成される。一実施形態において、イーサネット（登録商標）インタフェース４０３はＲＪ４５ソケットである。固定具４００の正面はまた、ＯＮＵの状態を示すＬＥＤ４０４の一群を含む。一実施形態において、ＯＮＵの状態は、電力の状態およびＯＮＵ操作モードを含む。一実施形態において、固定具４００は、ねじ４０５によって壁に載置される。
【００３０】
図４Ｂは、固定具４００の背面に取り付けられる回路基板４０６を示す、ＯＮＵの側面図を示す。一実施形態において、回路基板４０６はプリント回路基板（ＰＣＢ：Ｐｒｉｍｔｅｄ  Ｃｉｒｃｕｉｔ  Ｂｏａｒｄ）である。光送受信機４０８は回路基板４０６に取り付けられる。光送受信機４０８は、ファイバコネクタ４１２を通して、通信事業者側の光ファイバに連結する光ファイバ４１０、すなわち、ＥＰＯＮファイバを含む。光送受信機４０８は、コネクタ４１２を通して、ＯＬＴへ光信号を伝送し、ＯＬＴから光信号を受信する。送受信機４０８は、同時に伝送および受信することができる。すなわち、送受信機４０８は、上り信号をファイバへ伝送し、下り信号を同一ファイバから受信することができ、２つの信号は２つの波長上にあり、ファイバは単一モードまたは多モードのファイバである。
【００３１】
図４Ｃは、光送受信機４０８に加えて、ＯＮＵチップ４１４、フラッシュメモリ４１６、および電力管理モジュール４１８もまた、回路基板４０６に取り付けられることを示す、ＯＮＵの背面図を示す。ＯＮＵチップ４１４は、イーサネット（登録商標）インタフェース４０３および光送受信機４０８に連結され、各パケットのＬＬＩＤに基づきローカル加入者に対して指定される既存データの抽出、および上りデータ用の伝送スケジューリング等、主要なＯＮＵ機能を実施する。一実施形態において、ＯＮＵチップ４１４は、下りおよび上りデータを保存するために必要なバッファを含み、事前に定義されたか、またはユーザが設定したサービス水準合意（ＳＬＡ：Ｓｅｒｖｉｃｅ  Ｌｅｖｅｌ  Ａｇｒｅｅｍｅｎｔ）に基づく、キュー管理体系を実装することができることに留意されたい。フラッシュメモリ４１６は、シリアルペリフェラルインタフェース（ＳＰＩ：Ｓｅｒｉａｌ  Ｐｅｒｉｐｈｅｒａｌ  Ｉｎｔｅｒｆａｃｅ）を介して、ＯＮＵチップ４１４に連結される。シリアルフラッシュメモリ４１６は、電源を入れるとすぐにＯＮＵチップ４１４によって読み込まれる、プログラムおよび初期起動構成を保存する。フラッシュメモリ４１６内の内容は、帯域内制御および管理チャネルを通して、ＯＬＴによって更新できることに留意されたい。それゆえ、ＯＮＵは、ＯＬＴによって送信される情報に基づき、ネットワーク管理を実施することができる。電力管理モジュール４１８は、イーサネット（登録商標）インタフェース４０３から電力を受信し、送受信機４０８およびＯＮＵチップ４１４に電力を供給するように構成される。ＯＮＵチップ４１４および電力管理モジュール４１８は、ＯＮＵの状態を示すＬＥＤ４０４に連結する。
【００３２】
さらなる実施形態では、ＯＮＵチップ４１４、フラッシュメモリ４１６、電力管理モジュール４１８等の統合回路が、個々のパッケージングなしに下層の回路基板４０６に直接取り付けられ得る。すなわち、ＩＣダイは回路基板４０６に直接取り付けられ、導線は回路基板上のＩＣコネクタおよび導電性領域に接合する。ダイは、通常、エポキシ樹脂で被覆されている。
【００３３】
データ信号を送達する同一のイーサネット（登録商標）ケーブルを使用して、家庭内ネットワークゲートウェイ（またはその他タイプのＣＰＥ）からＯＮＵへ電力を送達することができることによって、境界設定に柔軟性をもたらす。通信事業者は今や、通信事業者のアクセスネットワークが終了し、加入者の家庭内ネットワークが始まる地点である境界点を、通信事業者と加入者との両方の必要性を満足する場所に配置することができる。別個の電源を必要とせずに、ＯＮＵを、壁の内側または加入者の自宅外側等、加入者から隠れた場所に配置することができる。両方の場合、ＯＮＵのイーサネット（登録商標）インタフェースのみが、加入者の目にさらされる。ＯＮＵを加入者から離しておくことで、通信事業者はＯＮＵを保護および維持するのがより容易になる。加えて、ＯＮＵと家庭内ネットワークゲートウェイとの間を切り分けることで、加入者には、通信事業者のアクセスネットワーク、すなわち、ＥＰＯＮを妨げることなく、自身の家庭内ネットワークゲートウェイをバージョンアップする能力が提供される。
【００３４】
図５は、本発明の一実施形態に従い、壁の中に隠されたＯＮＵを示している。図５において、壁５００は、加入者宅内の外壁、または内壁のいずれかであることができる。壁に載置可能な固定具５０２は、壁５００の内側に埋め込まれた回路基板５０６と共に、壁の中に載置されている。イーサネット（登録商標）インタフェース５０３は、開口部５０４を通して、壁の１つの表面に露出されている。光ファイバ５０８は壁の内側を移動し、壁５００のもう一方の表面に位置するファイバコネクタ５１０に接続する。壁５００が外壁の場合には、ファイバコネクタ５１０が外面にあるのに対して、イーサネット（登録商標）インタフェース５０３は、内面に位置付けられることに留意されたい。本構成では、ＯＮＵの大部分が加入者から隠され、加入者は、開口部５０４を表面に露出しているイーサネット（登録商標）インタフェース５０３を含む、固定具５０２の正面のみを目にする。固定具５０２の正面は、壁に載置された従来の電話またはイーサネット（登録商標）ジャックに類似して見えることに留意されたい。電話線のプラグを差し込むのと同様に、加入者は、家庭内ネットワークゲートウェイ５１２をＯＮＵに接続するために、開口部５０４を通して、イーサネット（登録商標）ケーブル５１４をインタフェース５０３内へ簡便に差し込むことができる。一実施形態において、イーサネット（登録商標）ケーブルは、ＲＪ４５ケーブルである。さらなる実施形態では、壁５００は外壁であり、ファイバコネクタ５１０は加入者宅の外側に向いており、通信事業者は加入者宅に入る必要なく、ＯＮＵにアクセスすることができる。別の実施形態において、ファイバコネクタ５１０は、壁の内側に隠すことが可能であり、したがって、コネクタ５１０を、埃やその他汚れ等、潜在的な環境損傷から保護する。さらに、外壁の外面は、回路基板５０６およびファイバ５０８にアクセスするための開口部を含むことが可能であり、したがって、通信事業者は加入者宅に入る必要なくして、ＯＮＵにサービスを提供するか、またはＯＮＵを維持することが可能となる。
【００３５】
図６は、本発明の一実施形態に従い、壁の表面に取り付けられるＯＮＵを示す。図６において、壁に載置可能な固定具６０２は、壁６００の外側にある回路基板６０４と共に、壁６００の表面に載置されている。光送受信機６０６は、ファイバコネクタ６０８を経由する光ファイバ６１２を使用して、通信事業者のアクセスネットワークに連結される。一実施形態において、光ファイバ６１２は、ファイバを不慮の機械的損傷から保護する、しっかりと固着された導管６１０内側に配置される。別の実施形態において、光ファイバ６１２は壁６００内側に埋め込まれる。
【００３６】
上述の本発明の実施形態は、図示および説明の目的のみのために示されたものである。それらは、包括的であること、または本発明を開示される形態に限定することを意図していない。したがって、当業者には多くの修正および変形例が明らかであろう。加えて、上記開示は本発明を限定することを意図していない。本発明の範囲は添付の請求項によって定義される。
【図１】
0005425788.tif 000002
【図２】
0005425788.tif 000003
【図３】
0005425788.tif 000004
【図４Ａ】
0005425788.tif 000005
【図４Ｂ】
0005425788.tif 000006
【図４Ｃ】
0005425788.tif 000007
【図５】
0005425788.tif 000008
【図６】
0005425788.tif 000009